(57)【要約】【課題】柄部のさじ部側を握る箇所が上部に移動されたショベルにおいて、さじ部の位置がコントロールし易い、またショベルを担ぎ易いなど、実用的に使用できるショベルの補助把手を提供することを目的とする。【解決手段】ショベル２００に取り付けられる補助把手１００であって、使用者によって掴まれる棒状の把持部１と、把持部１の一端側とショベル２００の柄部２０３のさじ部２０１側とを連結する棒状の第１連結部２と、把持部１の他端側とショベル２００の柄部２０３の握り部２０２側とを連結する棒状の第２連結部３と、からなり、第１連結部２と第２連結部３とは平行に延在し、把持部１が上下に位置調整可能である。【選択図】図３
0003211606.tif 000002
【実用新案登録請求の範囲】
【請求項１】
ショベルに取り付けられるショベルの補助把手であって、
使用者によって掴まれる棒状の把持部と、
前記把持部の一端側と前記ショベルの柄部のさじ部側とを連結する棒状の第１連結部と、
前記把持部の他端側と前記ショベルの柄部の握り部側とを連結する棒状の第２連結部と、
からなり、
前記第１連結部と前記第２連結部とは平行に延在し、前記把持部が上下に位置調整可能であることを特徴とするショベルの補助把手。
【請求項２】
前記ショベルを用いて作業を行う際のすくい作業姿勢において、前記把持部が水平に保持されていることを特徴とする請求項１に記載のショベルの補助把手。
【請求項３】
すくい作業姿勢において、前記把持部の高さが前記ショベルの握り部の高さと同じになることを特徴とする請求項２に記載のショベルの補助把手。
【請求項４】
前記把持部と前記第１連結部と前記第２連結部とは、前記ショベルの肩掛け手段となっており、
前記第１連結部が前記第２連結部よりも長くなっていることを特徴とする請求項１に記載のショベルの補助把手。
【考案の詳細な説明】
【技術分野】
【０００１】
本考案は、ショベルの補助把手、詳しくは、柄部のさじ部側を握る箇所を上部に移動させるショベルの補助把手に関する。
【背景技術】
【０００２】
雪や土砂などをショベルですくい上げる作業は腰を痛めることが多い。特に除雪作業は、仕事のみでなく、生活にも係るので無理して行うことから、腰痛を悪化させることが多い。このショベル作業の姿勢が悪いと腰への荷重、すなわち椎間板内圧が大きくなる。この姿勢と椎間板内圧との関係についてはナッケムソン理論が知られている。これによると、図７のように、前傾姿勢になるほど椎間板内圧が大きくなって、腰痛になり易い。このことは、前傾姿勢になるほど、荷を持ち上げようとする支点が遠ざかって椎間板への圧力が大きくなることからも理解できる。
【０００３】
このように、雪や土砂などをすくい上げるショベル作業は、なるべく前傾姿勢にならない方が腰痛になりにくい。なお、本願ではショベル、スコップを総称してショベルと称し、雪や土砂などをすくう先端部をさじ部、末端の持ち手を握り部、さじ部と握り部を接続する部分を柄部と称す。
【０００４】
ショベル作業は、一方の手で握り部を掴み、他方の手で柄部のさじ部近傍を掴んで作業する。一般的なショベルの柄部は真っ直ぐな棒であるので、他方の手の位置が低くなることから、ショベル作業は、前傾姿勢となり腰を痛めやすい。そこで、少しでも前傾姿勢を緩和するために、柄部を掴む他方の手の位置を高くする種々の方法が考えられた。
【０００５】
たとえば、特許文献１には柄部を鉛直線上方に変形させて、あるいは別の部品を取り付けて、掴まれる把持部を上方に移動させたショベルが開示されている。特許文献２には柄部にアーチ状あるいはコの字状のハンドルを取り付けて、把持部を上方に移動させることが開示されている。特許文献３には柄部の握り部側に回動自在に軸支された持ち手杆（てこぼう）と、柄部のさじ部側に回動自在且つ摺動自在に保持されて持ち手杆を支える支持杆を備えて、上方の把持部を折り畳み式にしたショベルが開示されている。特許文献４には柄部の延在方向と直行して延在する把持部が既存のショベルに蝶ナットによって着脱自在に固着されて、把持部を上方に設けた握持体が開示されている。特許文献５には柄部の延在方向と直行して延在する把持部が高さと角度を変更可能にして、把持部の位置を使用者の体格に合わせることが開示されている。
【先行技術文献】
【特許文献】
【０００６】
【特許文献１】特開２００６−２７４５３４号公報
【特許文献２】実用新案登録第３２００７６２号公報
【特許文献３】特開２００３−１０５７２７号公報
【特許文献４】実用新案登録第３０３１９７６号公報
【特許文献５】特開平９−１７０２４３号公報
【考案の概要】
【考案が解決しようとする課題】
【０００７】
特許文献１〜５のように、柄部のさじ部側を握る箇所を上方に移動させると、従来のショベル作業と比較してさじ部の動きのコントロールが難しくなるという問題が生じる。たとえば、右手で握り部を掴み左手で柄部のさじ部近傍を掴んでショベルの作業をする従来のショベル作業では、さじ部に近い左手でさじ部の位置を的確にコントロールする。
【０００８】
しかしながら、特許文献１〜５のように柄部のさじ部側を握る箇所が上方に移動すると、左手がさじ部から離間するために、さじ部の動きのコントロールが難しくなる。また、左手で握り締めている把持部の延在方向の感覚でさじ部の移動方向を操作すると、間違った方向にさじ部が移動する危険性がある。
【０００９】
さじ部の動きのコントロールが難しいと、特に、雪掻きの場合には雪に埋もれている車や花壇などを損傷させる恐れがある。特許文献１〜５にはさじ部の動きをコントロールし易くしようとする課題の記載がない。
【００１０】
また、家や車庫の屋根などの雪下ろしではショベルを持ってハシゴを登ることがある。このときに片手にショベルを持って、もう一方の片手で雪が付いたハシゴを登るのは危険である。そこで、ショベルを担いで両手でハシゴを登ることが安全上好ましいが、特許文献１〜５にはショベルを担ぐようにしようとする課題の記載がない。
つまり、特許文献１〜５に記載された物は、ショベルの補助把手として実用的と言える物ではない。
【００１１】
そこで本考案は、柄部のさじ部側を握る箇所が上部に移動されたショベルにおいて、さじ部の位置がコントロールし易い、またショベルを担ぎ易いなど、実用的に使用できるショベルの補助把手を提供することを目的とする。
【課題を解決するための手段】
【００１２】
上記課題を解決するため、本考案の一つの態様に係るショベルの補助把手は、ショベルに取り付けられるショベルの補助把手であって、使用者によって掴まれる棒状の把持部と、前記把持部の一端側と前記ショベルの柄部のさじ部側とを連結する棒状の第１連結部と、前記把持部の他端側とショベルの柄部の握り部側とを連結する棒状の第２連結部と、からなり、前記第１連結部と前記第２連結部とは平行に延在し、前記把持部が上下に位置調整可能であることを特徴とする。
【００１３】
本考案のショベルの補助把手によると、ショベルの柄部よりも補助把手の前記把持部が高い位置となるので、ショベルを用いた作業において、使用者のさじ部側の手の位置が高くなり、前傾姿勢が緩和され、腰痛に成りにくくなる。
また、把持部の延在方向とショベルの柄部の延在方向が同一面であるので、把持部を握る手に従って操作することにより、さじ部を思った方向に動かし易い。
また、把持部が上下に位置調整可能なので、使用者の体型に合わせて把持部の高さを調整することができ、非常に実用的となっている。
【００１４】
また、シャベルを用いて作業を行う場合には、ショベルのさじ部を水平に移動させることが多い。従って、ショベルを用いて作業を行う場合に、把持部が水平になっていると、把持部を握る手の把持部の水平感覚に従って操作することにより、さじ部を水平方向に動かし易くなり、特に、雪に埋もれている車や花壇などの損傷を低減することができる。
【００１５】
そこで、本考案のショベルの補助把手は、前記ショベルを用いて作業を行う際のすくい作業姿勢において、前記把持部が水平に保持されていることを特徴とする。このような構成によって上記のような効果を実現することができる。
【００１６】
この時、本考案のショベルの補助把手は、すくい作業姿勢において、前記把持部の高さが前記ショベルの握り部の高さと同じになることを特徴とする。従って、一方の手でショベルの握り部を握った時の腕の長さと、もう一方の手で把持部を握った時の腕の長さが同じになるので、両肩を水平にして作業を行うことができ、非常に楽な姿勢で作業できる。とくに、ショベルの握り部の中心から把持部の握り領域までの最大距離が、３５０ｍｍ以上とすることで、肩の筋肉の使用が楽である。
【００１７】
また、雪下ろし作業では、家の屋根や車庫の屋根にシャベルを持ってハシゴを登ることがある。この時に片手にショベルを持ってハシゴを登るのは非常に危険である。従って、ショベルを肩に掛けることができれば、ハシゴを両手で登ることができ、非常に安全である。
【００１８】
そこで、本考案のショベルの補助把手は、前記把持部と前記第１連結部と前記第２連結部とは、前記ショベルの肩掛け手段となっており、前記第１連結部が前記第２連結部よりも長くなっていることを特徴とする。このような構成によって上記のような効果を実現することができる。また、肩に掛ける領域が、把持部と第１連結部と第２連結部という三つの部品で構成されることから、十分な広さを確保でき、肩に掛けた状態でも、腕を自由に動かすことができ、非常に安全性の高い実用的な補助把手となっている。また、第１連結部が第２連結部よりも長くなっているため、肩に掛けた時、さじ部が握り部よりも下側に位置することになるので、ショベルの運搬の安全性が一段と高まる。
【図面の簡単な説明】
【００１９】
【図１】実施形態に係るショベルの補助把手の主要な構成を示す斜視図である。
【図２】図１に示すショベルの補助把手の分解斜視図である。
【図３】実施形態に係るショベルの補助把手の主要な構成を示す側面図である。
【図４】実施形態に係るショベルの補助把手を使って作業をする写真である。
【図５】実施形態に係るショベルの補助把手を使って作業をするイラストである。
【図６】実施形態に係るショベルの補助把手が肩掛けとして利用される状態を示すイラストである。
【図７】補助把手が使用されていないショベルで作業をするイラストである。
【考案を実施するための形態】
【００２０】
以下、実施形態及び図面を参照にして本考案を実施するための形態を説明するが、以下に示す実施形態は、本考案をここに記載したものに限定することを意図するものではなく、本考案は考案請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２１】
図１〜図６を用いて本実施形態のショベルの補助把手１００（以下、単に補助把手１００と記す。）を説明する。図１〜図３は補助把手１００の構成を示す図であり、図４〜図６は使用状態を示す写真やイラストである。
【００２２】
具体的には、図１は補助把手１００の主要な構成を示す斜視図であり、図２は分解斜視図であり、図３は側面図であり、図４、図５は補助把手１００の使用状態を示す写真やイラストであり、図６は補助把手１００が肩掛けとして利用される状態を示すイラストである。
【００２３】
図１〜図３に示すように、本実施形態の補助把手１００が装着されるショベル２００は、量販店などで市販されている一般的なものである。したがって、ショベル２００は、雪や土砂が載せられるさじ部２０１と、通常利き手で握られる握り部２０２と、さじ部２０１と握り部２０２部を連結する柄部２０３からなる。
【００２４】
本実施形態の補助把手１００は、このショベル２００に取り付けられるものであって、使用者によって通常利き手ではない方の手で掴まれる棒状の把持部１と、把持部１の一端側とショベル２００の柄部２０３のさじ部２０１側とを連結する棒状の第１連結部２と、把持部１の他端側とショベル２００の柄部２０３の握り部２０２側とを連結する棒状の第２連結部３と、からなり、第１連結部２と第２連結部３とは平行に延在し、把持部１が上下に位置調整可能となるように構成されており、より具体的には、第１連結部２と柄部２０３を連結する第１継手４と、第２連結部３と柄部２０３を連結する第２継手５と、組立てに使用するボルトＢ、ナットＮと、を備えている。
【００２５】
把持部１は、使用者によって掴まれる棒状の部材である。具体的には把持部１は、筒状であり繊維強化プラスチック製やプラスチックでコーティングされた金属製からなる、第１シャフト１１と、第１シャフト１１に嵌入される筒状であり柔らかい素材のグリップ１２と、第１シャフト１１の両端に接着剤で固着され第１連結部２や第２連結部３と連結するためのプラスチックスからなる２つの第１連結材１３と、からなる。
【００２６】
第１連結部２は、把持部１の一端側とショベル２００の柄部２０３のさじ部２０１側とを連結する棒状の部材である。具体的には、第１連結部２は、プラスチックでコーティングされた金属製の第２シャフト２１と、第１継手４と連結するプラスチックからなる第２連結材２２と、からなる。この第２連結材２２は、第２シャフト２１に接着剤で固着されている。
【００２７】
第２連結部３は、把持部１の他端側とショベル２００の柄部２０３の握り部２０２側とを連結する棒状の部材である。具体的には、第２連結部３は、プラスチックでコーティングされた金属製の第３シャフト３１と、第２継手５と連結するプラスチックスとからなる第３連結材３２と、からなる。この第３連結材３２は、第３シャフト３１に接着剤で固着されている。
なお、把持部１、第１連結部２、第２連結部３は、何れも棒状の部材であるが、図のような円柱の棒状部材だけでなく、角柱の棒状部材でも構わない。
【００２８】
第１継手４は、金属製であり、２つの第１分割材４１と第２分割材４２と、係合部４３からなる。第１分割材４１と第２分割材４２は、円筒形を半分に分割した半円筒形であり、半円筒形の一方から延在した舌片の連結板４１１、４２１を備えており、この第１分割材４１と第２分割材４２とで円筒形の空部を形成する。係合部４３は、蝶番のようなヒンジであり、第１分割材４１と第２分割材４２が形成した空部の円柱の形状を開閉することができる。
【００２９】
なお、係合部４３は、第１分割材４１と第２分割材４２とが分離することができるものであってもよい。また、第１継手４は、係合部４３が無くて、Ω字形状の第１分割材４１と第２分割材４２が円筒形の両方から延在した舌片で両側をネジで螺着する構造であってもよく、種々の構成の継手が市販されている。
【００３０】
第２継手５は、第１継手４と同様の構成であり、相違点は結合して形成した空部の円柱の大きさのみで、第１継手４と同様に２つの第１分割材５１と第２分割材５２と、係合部５３と、からなる。そして、この第１分割材５１と第２分割材５２は、連結板５１１、５２１を備えている。
【００３１】
ボルトＢとナットＮは、六角レンチ用のネジであり、いずれも頭に六角の穴（ここでは貫通していないアナを穴と記し、貫通しているアナを孔と記す。）が開けられている。ナットＮは、円筒形部分に雌ネジが切られており、円筒形部分は連結孔のシャフトとなる袋ナットである。したがって、ボルトＢの雄ネジ部分は連結孔から突出しないので、雌ネジ側から雄ネジの突出がなく、且つ、雌ネジの高さが小さくなって、ショベル作業を安全に行うことができる。
【００３２】
次に、図１〜図３を参照して、これらの補助把手１００の部材の組立てやショベル１００へ搭載する組立てについて説明する。把持部１の２つの第１連結材１３にはネジ孔１３ａが、それぞれ形成されている。
【００３３】
このネジ孔１３ａに対向して、第１連結部２の第２シャフト２１には高さの位置が異なる３つのネジ孔２１ａが形成され、また第２連結部３の第２シャフト３１には高さの位置が異なる３つのネジ孔３１ａが形成されている。
【００３４】
把持部１の一方の第１連結材１３に第１連結部２の第２シャフト２１が嵌入され、ネジ孔１３ａと３つの内の何れか定められたネジ孔２１ａとが、ボルトＢとナットＮで螺着される。同様に、把持部１の他方の第１連結材１３に第２連結部３の第３シャフト３１が嵌入され、ネジ孔１３ａと３つのうちのいずれか定められたネジ孔３１ａとが、ボルトＢとナットＮで螺着される。
【００３５】
次に、補助把手１００のショベル２００への装着について説明する。補助把手１００の第２連結材２２と第３連結材３２とは、それぞれ第１継手４と第２継手５と連結するためのネジ孔２２ａ、３２ａを備えている。また、第１継手４と第２継手５のそれぞれの連結板４１１、４２１、５１１、５２１は、それぞれ第２連結材２２と第３連結材３２と連結するためのネジ孔４１１ａ、４２１ａ、５１１ａ、５２１ａを備えている。
【００３６】
組立者は、第１継手４をショベル２００の柄部２０３のさじ部２０１側に嵌入させ、第２継手５をショベル２００の柄部２０３の握り部２０２部側に嵌入させる。そして、組立者は、第１継手４に第１連結部２の第２連結材２２を嵌入させて、ネジ孔４１１ａと４２１ａと２２ａとに、ナットＮを挿入してボルトＢで軽く保持する。また、第２継手５に第２連結部３の第３連結材３２を嵌入させて、ネジ孔５１１ａと５２１ａと３２ａとに、ナットＮを挿入してボルトＢで軽く保持する。
【００３７】
この時ボルトＢは、軽く保持されているので、図３に示すように、組立者は、補助把手１００に対してショベル２００を滑動させたり傾斜を変更したりすることができる。そして組立者は、補助把手１００の把持部１を水平にした状態ですくい作業をし易い角度にショベル２００の傾斜の調節をした後、第１継手４と第２継手５のボルトＢを強く締める。なお、把持部１の高さについては、第１連結部２と第２連結部３のそれぞれ３つのネジ孔２１ａ、３１ａの選択で変更することができる。
【００３８】
このように把持部１が上下に位置調整可能なので、使用者の体型に合わせて把持部１の高さを調整することができる。また、補助把手１００を使用しない場合のショベル作業（図７参照）と比較して、ショベル２００の柄部２０３よりも補助把手１００の把持部１が高い位置となるので、ショベル２００のすくい作業姿勢で、使用者のさじ部２０１側の手の位置が高くなり、前傾姿勢が緩和され、腰痛に成りにくくなる。
【００３９】
把持部１を高い位置にすると手の位置がさじ部２０１から離間するために、通常さじ部２０１の位置のコントロールが難しくなる。本願はこの短所を解決する方法を勘案したものである。具体的には、ショベルを用いた作業ではさじ部２０１を水平に移動させることが多い。そこで、本願の補助把手１００は図３、図４に示すように、ショベル２００を用いた作業を行う際のすくい作業姿勢において、把持部１を水平にできるようになっている。
【００４０】
把持部１が水平であるので、把持部１を握る手の把持部１の水平感覚に従って操作することにより、さじ部２０１を水平方向に動かし易い。これにより、特に、雪に埋もれている車や花壇などの損傷を低減することができる。なお、すくい作業姿勢において把持部１が水平と述べているが、ここで述べる水平とは厳密な水平ということではなく、取付の状態によって多少傾斜している場合も含んでいる。
【００４１】
また、把持部１の延在方向とショベル２００の柄部２０３の延在方向が同一面であるので、把持部１を握る手に従って操作することにより、さじ部２０１を思った方向に動かし易い。
【００４２】
また、ショベル２００のすくい作業姿勢で把持部１の高さがショベル２００の握り部２０２の高さと同じ（図３でＨ１＝Ｈ２）であるので、肩を水平にして作業でき、楽な姿勢となる。
【００４３】
また、本実施形態において、第１連結部２と第２連結部３は、ショベル２００の柄部２０３に着脱可能に保持されているので、補助把手１００を他のショベル２００に付け替えることが可能となる。
【００４４】
また、図６に示すように、本願の補助把手１００は、第１連結部２と第２連結部３の間の把持部１の長さが肩幅よりも広くなっており、把持部１を肩に掛けて手放しでショベル２００を運ぶことができる。そして、第１連結部２と第２連結部３は、平行に延在しているので、ショベル２００が揺れにくくて運びやすい。たとえば、家や車庫の屋根などの雪下ろしで本願の補助把手１００を備えたショベル２００を担ぐことによって、ハシゴを両手で安全に登ることができる。
【００４５】
また、補助把手１００は、肩に掛ける領域が把持部１と第１連結部２と第２連結部３という三つの部品で構成されていることから、肩掛け作業を容易にかつ迅速に行えるのに十分な広さを備えている。また、肩に掛けた状態でも、腕を自由に動かすことができるので、非常に安全性の高い補助把手１００となっている。
【００４６】
また、さじ部２０１側となる第１連結部２は、第２連結部３よりも長くなっているために、ショベル２００を補助把手１００で肩に掛けた時に、さじ部２０１側が下方となって、ショベルの運搬の安全性が高い。
【００４７】
また、ショベル２００の握り部２０２の中心から把持部１の握り領域までの最大距離（図３の寸法Ｌ）は、３５０ｍｍ以上となっている。このように握り部２０２から把持部１の握り領域までの距離が長いので、作業者は両手を肩幅で平行に持つことができ、肩の筋肉の使用が楽となる。
【００４８】
なお、上述の把持部１、第１連結部２、第２連結部３の長さを伸縮自在にすることが好ましい。これにより種々の体型の作業者に適用できるし、収納がコンパクトになる。また、ショベル２００に取り付けられる補助把手１００は、実施形態のように付け替え可能な状態で提供されるものでもよく、またショベル２００に最初から取り付けられた状態で提供されるものでもよい。
【符号の説明】
【００４９】
１００：ショベルの補助把手
１：把持部
１１：第１シャフト
１３：第１連結材
２：第１連結部
２１：第２シャフト
２２：第２連結材
３：第２連結部
３１：第２シャフト
３２：第３連結材
４：第１継手
５：第２継手
２００：ショベル
２０１：さじ部
２０２：握り部
２０３：柄部
Ｂ：ボルト
Ｎ：ナット
【図１】
0003211606.tif 000003
【図２】
0003211606.tif 000004
【図３】
0003211606.tif 000005
【図４】
0003211606.tif 000006
【図５】
0003211606.tif 000007
【図６】
0003211606.tif 000008
【図７】
0003211606.tif 000009